(57)【要約】【課題】  簡単な操作でアセットに含まれる複数のファイルの総選択数を変更して表示することができる。【解決手段】  ユーザによりアルバムが選択されると、ＣＰＵ１２は、アセットの種別アイコン８２ｂと共にサムネイル画像を配置した分割配置画面８２を表示部４２に表示する。ユーザは複数（ここでは３つ）の画像が含まれるグルーピングアセットの代表画像Ｂにカーソル８２ａを合わせて選択し、選択数の増加指示をする。すると、ＣＰＵ１２は、グルーピングアセットに含まれる画像数「３」にユーザの選択数「１」を乗じ、求めた総選択数「３」を画像に重ねて表示部４２に表示する。更に増加指示をキー入力すると総選択数「６」を表示し、総選択数「６」の表示時に選択数の減少指示をキー入力すると総選択数「３」を表示部に表示する。このように、グルーピングアセットに含まれている画像数を１単位として総選択数を増減して表示する。【選択図】        図７
2006252476.tif 000002
【特許請求の範囲】
【請求項１】
複数のファイルを含むグルーピングアセットを含む各種のアセットを表示可能な表示手段と、
前記表示手段に表示される各種のアセットのうちいずれかをユーザが選択可能なアセット選択手段と、
前記前記選択手段によって選択されたアセットに含まれるファイルの選択数の増減指示をユーザから取得可能な指示取得手段と、
前記アセット選択手段によって前記グルーピングアセットが選択されているときには、前記指示取得手段がユーザからの選択数の増減指示を取得するたびに前記グルーピングアセットに含まれるファイル数と前記ユーザからの増減指示とに基づいて該ファイルの総選択数を求め該求めたファイルの総選択数を前記表示手段に表示させる表示制御手段と、
を備えた表示処理装置。
【請求項２】
前記グルーピングアセットは、複数の画像ファイルを含んでいる、
請求項１に記載の表示処理装置。
【請求項３】
前記表示制御手段は、前記総選択数を前記グルーピングアセットの代表画像と共に前記表示手段に表示させる、
請求項２に記載の表示処理装置。
【請求項４】
前記表示制御手段は、前記総選択数を前記グルーピングアセットの代表画像の表示領域内に表示させる、
請求項２に記載の表示処理装置。
【請求項５】
前記表示制御手段は、複数のファイルを含むグルーピングアセットを含む各種のアセットを並べた配列画面を表示手段に表示させ、前記配列画面で前記アセット選択手段によって前記グルーピングアセットが選択されているときには、前記指示取得手段がユーザからの選択数の増減指示を取得するたびに前記グルーピングアセットに含まれるファイル数と前記ユーザからの増減指示とに基づいて該ファイルの総選択数を求め該求めたファイルの総選択数を前記配列画面と共に前記表示手段に表示させる、
請求項１〜４のいずれかに記載の表示処理装置。
【請求項６】
請求項１〜５のいずれかに記載の表示処理装置であって、
所定の関係を有する１以上のアセットの情報をまとめる集団情報及び個別に存在するアセットの情報のうち少なくとも１つを含み該含んだ情報によりアセットを取得可能に作成されたアセット管理情報を利用して前記各種のアセットを取得可能なアセット取得手段、
を備えた表示処理装置。
【請求項７】
前記表示制御手段は、前記総選択数と共に前記グルーピングアセットに含まれるファイル数をも前記表示手段に表示させる、
請求項１〜６のいずれかに記載の表示処理装置。
【請求項８】
前記アセット選択手段は、前記表示手段に表示される各種のアセットのうちいずれかを印刷するアセットとしてユーザが選択可能であり、
前記表示制御手段は、印刷するアセットのファイルの総選択数を前記表示手段に表示させる、
請求項１〜７のいずれかに記載の表示処理装置。
【請求項９】
請求項８に記載の表示処理装置と、
前記表示処理装置によって選択されたアセットに含まれるファイルの内容を着色剤によって記録媒体に印刷する印刷ユニットと、
を備えた印刷装置。
【請求項１０】
複数のファイルを含むグルーピングアセットを含む各種のアセットを表示可能な表示手段を利用した表示処理方法であって、
（ａ）前記表示手段に表示される各種のアセットのうちいずれかをユーザが選択するステップと、
（ｂ）前記ステップ（ａ）で選択されたアセットに含まれるファイルの選択数の増減指示をユーザから取得するステップと、
（ｃ）前記ステップ（ａ）で前記グルーピングアセットが選択されているときには、前記ステップ（ｂ）でユーザからの選択数の増減指示を取得するたびに前記グルーピングアセットに含まれるファイル数と前記ユーザからの増減指示とに基づいて該ファイルの総選択数を求め該求めたファイルの総選択数を前記表示手段に表示させるステップと、
を含む表示処理方法。
【請求項１１】
請求項１０に記載の表示処理方法の各ステップを１又は複数のコンピュータに実現させるためのプログラム。
【発明の詳細な説明】
【技術分野】
【０００１】
本発明は、表示処理装置、印刷装置、表示処理方法及びそのプログラムに関する。
【背景技術】
【０００２】
従来、表示処理装置としては、表示部に画像を表示して画像を選択させたのちに印刷枚数などを設定するものが提案されている（例えば、特許文献１参照）。この表示処理装置では、画像ファイルの画像を表示し、ユーザが上キーを押下するたびに印刷枚数を初期値から１ずつカウントアップし、下キーを押下するたびに印刷枚数を１ずつカウントダウンし、決定キーを押下するとその時点の表示値を印刷枚数として設定する。そして、選択した画像ファイルを印刷データとしてプリンタに出力し、設定した印刷枚数分の画像を印刷する。
【特許文献１】特開２００４−１０４８１８号公報（図７）
【発明の開示】
【発明が解決しようとする課題】
【０００３】
しかしながら、この特許文献１に記載された表示処理装置では、複数の画像ファイルが含まれているグループについては、考慮されていなかった。ここで、仮に、グループに含まれている画像ファイルをすべて選択しようとすると、このグループに含まれているそれぞれの画像ファイルを選択し、その選択した画像ファイルに対してそれぞれ印刷枚数を設定する必要があった。つまり、複数の画像ファイルが含まれているグループを選択する場合、操作が煩雑であった。
【０００４】
本発明は、このような課題に鑑みなされたものであり、簡単な操作でアセットに含まれる複数のファイルの総選択数を変更して表示することができる表示処理装置、印刷装置、表示処理方法及びそのプログラムを提供することを目的とする。
【課題を解決するための手段】
【０００５】
本発明は、上述の目的の少なくとも一つを達成するために以下の手段を採った。
【０００６】
本発明の表示処理装置は、
複数のファイルを含むグルーピングアセットを含む各種のアセットを表示可能な表示手段と、
前記表示手段に表示される各種のアセットのうちいずれかをユーザが選択可能なアセット選択手段と、
前記前記選択手段によって選択されたアセットに含まれるファイルの選択数の増減指示をユーザから取得可能な指示取得手段と、
前記アセット選択手段によって前記グルーピングアセットが選択されているときには、前記指示取得手段がユーザからの選択数の増減指示を取得するたびに前記グルーピングアセットに含まれるファイル数と前記ユーザからの増減指示とに基づいて該ファイルの総選択数を求め該求めたファイルの総選択数を前記表示手段に表示させる表示制御手段と、
を備えたものである。
【０００７】
この表示処理装置では、複数のファイルを含むグルーピングアセットが選択されているときには、ユーザからの選択数の増減指示を取得するたびにグルーピングアセットに含まれるファイル数とユーザからの増減指示とに基づいて該ファイルの総選択数を求め該求めたファイルの総選択数を前記表示手段に表示する。このように、グルーピングアセットに含まれるファイル数ごとに総選択数を増減して表示するため、簡単な操作でアセットに含まれる複数のファイルの総選択数を変更して表示することができる。ここで、「アセット」とは、ファイルのまとまりのことをいい、例えば単数のファイルで構成される場合や複数のファイルで構成される場合などがある。また、前記総選択数を求めるに際して、前記グルーピングアセットに含まれるファイル数に前記増減指示回数を乗算して求めてもよい。
【０００８】
本発明の表示処理装置において、前記グルーピングアセットは、複数の画像ファイルを含んでいてもよい。画像ファイルは、例えば撮影された時期やイベントなどグループとして管理されることが多いため、本発明を適用する意義が高い。このとき、前記表示制御手段は、前記総選択数を前記グルーピングアセットの代表画像と共に前記表示手段に表示させてもよい。こうすれば、表示されている総選択数がどのアセットのものなのかを確認しやすい。あるいは、前記表示制御手段は、前記総選択数を前記グルーピングアセットの代表画像の表示領域内に表示させてもよい。こうすれば、アセットの画像を表示するスペース以外に総選択数を表示するスペースがいらないためスペースを有効利用できる。
【０００９】
本発明の表示処理装置において、前記表示制御手段は、複数のファイルを含むグルーピングアセットを含む各種のアセットを並べた配列画面を表示手段に表示させ、前記配列画面で前記アセット選択手段によって前記グルーピングアセットが選択されているときには、前記指示取得手段がユーザからの選択数の増減指示を取得するたびに前記グルーピングアセットに含まれるファイル数と前記ユーザからの増減指示とに基づいて該ファイルの総選択数を求め該求めたファイルの総選択数を前記配列画面と共に前記表示手段に表示させてもよい。こうすれば、アセットを並べた配列画面と共に総選択数が表示されるため、どのアセットのファイルがいくつ選択されているのかを確認しやすい。
【００１０】
本発明の表示処理装置は、所定の関係を有する１以上のアセットの情報をまとめる集団情報及び個別に存在するアセットの情報のうち少なくとも１つを含み該含んだ情報によりアセットを取得可能に作成されたアセット管理情報を利用して前記各種のアセットを取得可能なアセット取得手段、を備えていてもよい。こうすれば、アセット管理情報を利用することにより、比較的容易にアセットを取得することができる。
【００１１】
本発明の表示処理装置において、前記表示制御手段は、前記総選択数と共に前記グルーピングアセットに含まれるファイル数をも前記表示手段に表示させてもよい。こうすれば、グルーピングアセットのファイル数をも確認することができる。
【００１２】
本発明の表示処理装置において、前記アセット選択手段は、前記表示手段に表示される各種のアセットのうちいずれかを印刷するアセットとしてユーザが選択可能であり、前記表示制御手段は、印刷するアセットのファイルの総選択数を前記表示手段に表示させてもよい。こうすれば、印刷するアセットを選択することができる。
【００１３】
なお、本発明の表示処理装置は、前記アセットに含まれるメタデータに基づいて該アセットの種別を判定するアセット種別判定手段、を備え、前記表示制御手段は、前記アセット種別判定手段によって判定されたアセットの種別情報を該アセットに含まれる画像と共に前記表示手段に表示させてもよい。こうすれば、アセットの種別情報が画像と共に表示されるため、アセットの種別をユーザが容易に認識できる。このとき、前記表示制御手段は、前記アセットの種別情報を該アセットに含まれる画像の表示領域内にアイコン表示させてもよい。こうすれば、画像以外の部分にアセットの種別情報を表示する場合に比べてスペースを有効利用することができる。また、アイコンでアセットの種別情報を表示するため、視覚的に認識しやすい。また、本発明の表示処理装置において、前記表示制御手段は、前記各種のアセットに含まれる画像を表示部に表示させるに際して、前記各種のアセットに画像が含まれていないアセットがあるときには該画像が含まれていないアセットの画像として予め定められた画像を前記表示手段に表示させてもよい。こうすれば、画像が含まれていないアセットの画像として予め定められた画像が表示されるため、画像が含まれていないアセットを確認しやすい。
【００１４】
本発明の印刷装置は、上述した表示処理装置（印刷するアセットを選択可能なもの）と、前記表示処理装置によって選択されたアセットに含まれるファイルの内容を着色剤によって記録媒体に印刷する印刷ユニットと、を備えたものである。印刷装置は、印刷する画像を表示部に表示させてユーザに選択させることが多いため、本発明を適用する意義が高い。
【００１５】
本発明の表示処理方法は、
複数のファイルを含むグルーピングアセットを含む各種のアセットを表示可能な表示手段を利用した表示処理方法であって、
（ａ）前記表示手段に表示される各種のアセットのうちいずれかをユーザが選択するステップと、
（ｂ）前記ステップ（ａ）で選択されたアセットに含まれるファイルの選択数の増減指示をユーザから取得するステップと、
（ｃ）前記ステップ（ａ）で前記グルーピングアセットが選択されているときには、前記ステップ（ｂ）でユーザからの選択数の増減指示を取得するたびに前記グルーピングアセットに含まれるファイル数と前記ユーザからの増減指示とに基づいて該ファイルの総選択数を求め該求めたファイルの総選択数を前記表示手段に表示させるステップと、
を含むものである。
【００１６】
この表示処理方法では、複数のファイルを含むグルーピングアセットが選択されているときには、ユーザからの選択数の増減指示を取得するたびにグルーピングアセットに含まれるファイル数とユーザからの増減指示とに基づいて該ファイルの総選択数を求め該求めたファイルの総選択数を前記表示手段に表示する。このように、グルーピングアセットに含まれるファイル数ごとに総選択数を増減して表示するため、簡単な操作でアセットに含まれる複数のファイルの総選択数を変更して表示することができる。なお、この表示処理方法において、上述した表示処理装置の種々の態様を採用してもよいし、また、上述した表示処理装置の機能を実現するようなステップを追加してもよい。
【００１７】
本発明のプログラムは、上述した表示処理方法の各ステップを１又は複数のコンピュータに実行させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか複数のコンピュータに分散して実行させれば、上述した表示処理方法の各ステップが実行されるため、上述した表示処理方法と同様の作用効果が得られる。
【発明を実施するための最良の形態】
【００１８】
次に、本発明を実施するための最良の形態を実施例を用いて説明する。
【実施例】
【００１９】
図１は、本発明の一実施例であるマルチファンクションプリンタ１０のブロック図であり、図２は、操作パネル４０の説明図であり、図３は、マニフェストの説明図であり、（ａ）がルートマニフェスト６１の概念図、（ｂ）がマニフェスト７１の概念図である。このマルチファンクションプリンタ１０は、図１に示すように、スロット１７に差し込まれたメモリカード１８を読み書き可能に接続するリーダライタ１６と、スキャナ機能を実行するスキャナ機構２１及びこのスキャナ機構２１を制御するスキャナＡＳＩＣ２２を含んで構成されるスキャナ部２０と、プリンタ機能を実現するプリンタ機構３１及びこのプリンタ機構３１を制御するプリンタＡＳＩＣ３２を含んで構成されるプリンタ部３０と、ユーザが各種の指示を入力する操作パネル４０と、装置全体の制御を司るコントローラ１１とを備えている。なお、「ＡＳＩＣ」とは、アプリケーション・スペシフィック・インテグレーテッド・サーキット（Application Specific Integrated Circuit）の略である。
【００２０】
スキャナ部２０は、スキャナ機構２１とスキャナＡＳＩＣ２２を備えている。スキャナ機構２１は、いわゆるフラットベッド型であり、画像を読み取る媒体Ｍを載せるガラス面２３と、このガラス面２３を介して媒体Ｍを光学的に読み取るラインイメージセンサ２４と、媒体Ｍを読み取るためラインイメージセンサ２４を走査させる移動部２６とを備えている。スキャナＡＳＩＣ２２はスキャナ機構２１を制御する機能を備えたＩＣチップであり、スキャナ機構２１のラインイメージセンサ２４で読み取られたスキャンデータを、コントローラ１１のＲＡＭ１４に設けられたスキャナバッファ１４ａに格納する。本実施例のラインイメージセンサ２４は、媒体Ｍに向かって発光した後の反射光をレッド（Ｒ）、グリーン（Ｇ）、ブルー（Ｂ）の各色に分解してスキャンデータとする周知のカラーイメージセンサである。
【００２１】
プリンタ部３０は、プリンタ機構３１とプリンタＡＳＩＣ３２とを備えている。プリンタ機構３１は、インクジェット方式のフルカラープリンタとして構成されている。このプリンタ機構３１は、シアン・マゼンタ・イエロー・ライトシアン・ライトマゼンタ及びブラックの各色のインクを個別に収容したインクカートリッジ３４と、インクカートリッジから供給された各インクに圧力をかける圧力発生部３５と、圧力発生部３５で加圧されたインクを印刷媒体である記録紙Ｓに吐出する吐出口３６と、記録紙Ｓを搬送する搬送ローラ３８とを備えている。圧力発生部３５は、圧電素子（例えばピエゾ素子など）に電圧をかけることによりこの圧電素子を変形させてインクを加圧する方式を採用している。なお、この圧力発生部３５は、発熱抵抗体（例えばヒータなど）に電圧をかけインクを加熱して発生した気泡によりインクを加圧する方式を採用してもよい。プリンタＡＳＩＣ３２は、プリンタ機構３１を制御する機能を備えたＩＣチップであり、ＲＡＭ１４に設けられた印刷バッファ１４ｂ内の印刷データを１ページごとにビットマップイメージに展開し該展開した展開データを記録紙Ｓに印刷するようにプリンタ機構３１を制御する。
【００２２】
操作パネル４０は、ユーザがマルチファンクションプリンタ１０に対して各種の指示を入力するためのデバイスであり、図１及び図２に示すように、各種の指示に応じた文字、図形又は記号が表示される表示部４２や、各種操作を行う操作部４４が設けられている。表示部４２は、カラー画像を表示する液晶パネルにより構成されている。操作部４４には、ユーザが処理等を選択するカーソルなどを移動させるときに押下されるカーソルキー４４ａや処理選択などを決定するときに押下される決定キー４４ｂ、表示部４２に表示されている画面を他の画面に切り替えるときに押下される表示切替キー４４ｃ、表示部に表示されている画面を一つ前の画面に戻すときなどに押下される戻りキー４４ｄ、選択した画像の印刷枚数を増減させるときに押下される増減キー４４ｅなどが配置されている。
【００２３】
リーダライタ１６はマルチファンクションプリンタ１０の筐体に設けられたスロット１７に差し込まれたメモリカード１８に対してデータの読み書きを行う。メモリカード１８は、電気的に書き換え可能なフラッシュメモリであり、デジタルカメラ５０で撮影した画像ファイルなどを記憶する。ここでは、ユーザによって撮影された画像ファイルは、ＭＰＶ（Ｍｕｓｉｃ  Ｐｈｏｔｏ  Ｖｉｄｅｏ）形式により記憶可能となっている。ＭＰＶとは、コンテンツとしてのアセットの内容を記述するためのメタデータの仕様を定めた規格である。アセットとは、ＭＰＶで取り扱うターゲットの１単位であり、単独の画像ファイル（例えば静止画ファイルなど）で構成されていたり複数の画像ファイル（例えば連続撮影した複数の静止画ファイルなど）で構成されていたりする。本明細書において、前者を個別アセット、後者をグルーピングアセット又はコンポジット型アセットと呼ぶことがある。以下、このアセットを用いて説明する。ＭＰＶでは、マークアップ言語としてのＸＭＬで内容が記述されたマニフェストをコントロールファイルに用いる。このマニフェストには、アセットの情報としてのメタデータが記述されている。したがって、マルチファンクションプリンタ１０は、このマニフェストを読み出して解析することにより、各アセット自体を読み出すことなくメモリカード１８のどこにどのようなアセットが記憶されているのかを容易に把握可能となっている。
【００２４】
ここで、メモリカード１８に記憶されているマニフェストの概念について図３を用いて説明する。ルートマニフェスト６１は、メモリカード１８の装着が認識されたときにコントローラ１１により初めに読み込まれるマニフェストである。このルートマニフェスト６１には、他のマニフェスト７１にリンクするリンク情報６２が含まれている。また、このルートマニフェスト６１には、同じイベント（例えば運動会など）で撮影したとか同じ撮影日に撮影したというような所定の関係を有するアセットの集合体であるアルバムを特定可能なアルバム情報６３や、アルバムに含まれずに存在するアセットを特定可能なアセット情報６７などが含まれている。アルバム情報６３には、アセット情報６４，６５，…が含まれている。このアセット情報６４には、アセットに含まれているファイルの名称やこのファイルの保存場所を特定するファイルパス６４ａやアセット種別６４ｂなどが含まれている。アセットの種別としては、静止画（Ｓｔｉｌｌ）、音声付き画像（Ｓｔｉｌｌ  ｗｉｔｈ  Ａｕｄｉｏ）、マルチショット画像（Ｓｔｉｌｌ  Ｍｕｌｔｉｓｈｏｔ  Ｓｅｑｕｅｎｃｅ）、パノラマ画像（Ｓｔｉｌｌ  Ｐａｎｏｒａｍａ  Ｓｅｑｕｅｎｃｅ）及びその他のアセット（Ｏｔｈｅｒ）などがある。また、アセット情報６４には、アセットの作成者、アセットのタイトル、アセットの作成日時などの情報も記述されている。なお、マニフェストに含まれるその他のアセット情報についても同様の内容を含んでいる。
【００２５】
マニフェスト７１は、リンク情報６２を介してルートマニフェスト６１にリンクされているマニフェストである。このマニフェスト７１には、アルバム情報７３，７５や、アルバムに含まれずに存在するアセットを特定可能なアセット情報７７などが含まれている。このルートマニフェスト６１は、他のリンク情報や他のアルバム情報を含んでいてもよい。なお、マニフェストリンクとは、他のマニフェストにリンクする概念のことをいい、リンク情報とは、例えばリンク名称やリンクパスなどマニフェストリンクを具体的に特定可能な情報をいう。アセットとは、本実施例ではＭＰＶで取り扱うターゲットの１単位の概念のことをいい、アセット情報とは、例えばアセット名称やアセットパスなどアセットを具体的に特定可能な情報のことをいう。また、アルバムとは、１以上のアセットの集合体の概念をいい、アルバム情報とは、例えばアルバム名称や、アルバムに含まれているアセットの名称や、アルバムに含まれているアセットのパスなどアルバムを具体的に特定可能な情報のことをいう。
【００２６】
コントローラ１１は、ＣＰＵ１２を中心とするマイクロプロセッサとして構成されており（図１参照）、各種処理プログラムを記憶したＲＯＭ１３と、一時的にデータを記憶したりデータを保存したりするＲＡＭ１４とを備えている。このコントローラ１１は、バス１５を介してリーダライタ１６、スキャナＡＳＩＣ２２、プリンタＡＳＩＣ３２及び操作パネル４０と接続されている。ＲＯＭ１３は、不揮発性の記憶デバイスであり、メモリカードに記憶されたファイルを選択して印刷するときに実行される選択表示印刷制御プログラム１３ａや各種制御用プログラムや画面に配置するパーツのデータなどが記憶されている。ＲＡＭ１４は、複数の領域を備えており、これらの領域には、スキャナ部２０により読み取られた画像情報を一時的に記憶するスキャナバッファ１４ａや、プリンタ部３０に印刷させる画像情報を一時的に記憶する印刷バッファ１４ｂがある。
【００２７】
次に、こうして構成された本実施例のマルチファンクションプリンタ１０の動作について、特にメモリカード１８に記憶されているアセットを選択可能に表示し、選択されたアセットをマルチファンクションプリンタ１０が印刷する動作について説明する。
【００２８】
図４は、コントローラ１１のＣＰＵ１２により実行される選択表示印刷制御ルーチンのフローチャートである。このルーチンは、ＲＯＭ１３に記憶され、ユーザがリーダライタ１６のスロット１７にメモリカード１８を装着したあとＣＰＵ１２によって実行される。図４のルーチンが開始されると、ＣＰＵ１２は、メモリカード１８にルートマニフェストが記憶されているか否かを判定し（ステップＳ１００）、ルートマニフェストが記憶されているときには、ＭＰＶモードで動作するか、全画像を読み出す全画像読出モードで動作するかを選択させる選択画面を表示部４２に表示させ（ステップＳ１１０）、動作モードが選択されたか否かを判定する（ステップＳ１２０）。ユーザによって操作部４４が操作され全画像読出モードが選択されたとき、または、ステップＳ１００でルートマニフェストがメモリカード１８に記憶されていなかったときには、ＣＰＵ１２は、全画像表示処理を実行する（ステップＳ１３０）。ここで、全画像表示処理は、メモリカード１８に含まれているすべての画像ファイルを読み出し、読み出したファイルに含まれている画像をサムネイル表示し、表示した画像のうち印刷する画像をユーザに選択させる処理を行う。
【００２９】
さて、ステップＳ１２０でＭＰＶの動作モードが選択されたときには、ＣＰＵ１２は、ルートマニフェストを読み出し（ステップＳ１４０）、アルバム種があるか否かを判定する（ステップＳ１５０）。ここで、アルバム種としては、図３に示したアルバムやマニフェストリンクなどが設定されている。つまり、アセット自体ではなくアセットの上位にあたる選択肢（アセットをまとめるものの概念、例えばフォルダなど）があるか否かを判定する。ステップＳ１５０でアルバム種があるときには、含まれているアルバム種などの名称を配置した選択画面を表示部４２に表示し（ステップＳ１６０）、ユーザから選択指示されたか否かを判定する（ステップＳ１７０）。選択指示されたか否かの判定は、ユーザにより決定キー４４ｂが押下されたか否かにより行う。ステップＳ１７０で選択指示されていないときにはそのまま待機し、選択指示されたときにはアルバム種が選択されたか否かを判定し（ステップＳ１８０）、アルバム種が選択されたときには、選択されたアルバム種の種別及びパスをＲＡＭ１４に記憶されたパス情報１４ｃの最下段に追加する（ステップＳ１９０）。
【００３０】
ここで、パス情報１４ｃは、図５に示すように、現在の選択画面までどのようなマニフェストのパスを介してきたのかを保存する情報であり、ステップＳ１２０でＭＰＶモードが選択されたときに作成されＲＡＭ１４に保存される。このパス情報１４ｃは、前の表示画面に戻るときに利用するものであり、ルートマニフェストのパスが初期値として記憶されている。そして、アルバム種が選択されるたびに最下段に選択された種別とパスが追加され、ユーザにより戻りキー４４ｄが操作されるたびに最下段の情報が削除される。このように、パス情報を利用して前の画面に戻ることができ前の画面の内容自体を記憶する必要がないため、ＲＡＭ１４の空き領域を確保することができる。
【００３１】
さて、ステップＳ１９０のあと、ＣＰＵ１２は、選択されたアルバム種の内容を読み出し（ステップＳ２００）、上述したステップＳ１５０〜Ｓ２００の処理を行う。つまり、選択された内容にアルバム種が含まれない状態になるまで上述したステップＳ１５０〜Ｓ２００の処理を繰り返す。一方、ステップＳ１８０でアルバム種が選択されていないとき、つまり、単独に存在するアセットが選択されたとき、または、ステップＳ１５０でアルバム種がないときには、現在選択されている内容にはアセット情報のみが含まれておりアセット自体をユーザに選択させる状態であるため、ＣＰＵ１２は、現在開いているマニフェストを閉じ（ステップＳ２１０）、画像選択表示ルーチンを実行する（ステップＳ２２０）。
【００３２】
図６は、ＲＯＭ１３に記憶され、コントローラ１１のＣＰＵ１２により実行される画像選択表示ルーチンのフローチャートである。図６のルーチンが開始されると、ＣＰＵ１２は、選択表示印刷制御ルーチンで選択された内容に含まれているアセット情報及びアセットを読み出す（ステップＳ４００）。アセット情報の読み出しは、アセット名称、アセット種別及びサムネイル画像の有無などの情報を読み出すことを行う。そして、ＣＰＵ１２は、読み出したアセット情報に基づいてアセットの種別を判定し判定結果により決定された種別アイコン８２ｂと共にアセットのサムネイル画像を分割領域ごとに配置した分割配置画面８２を表示部４２に表示させる（ステップＳ４１０）。なお、選択した内容に画像が含まれないアセット（例えば音楽ファイルなど）が存在するときには、そのアセットについては予め設定されているデフォルトの画像を表示させる（図７の画像Ｇ参照）。
【００３３】
ここで、分割配置画面８２について説明する。図７は、分割配置画面８２の表示内容の説明図であり、（ａ）がアセットに含まれる画像の選択数がゼロであるときの画面である。なお、図７（ｂ），（ｃ）については後述する。ここでは、アセットのサムネイル画像Ａ〜Ｇは読み出した順番に左上のマスから右側へ、上段から下段へ順番に配置されている。この分割配置画面８２には、画像を選択するカーソル８２ａが配置されると共に各アセットの画像Ａ〜Ｇが分割領域に配置されており、この各画像の表示領域内には、アセットの種別に対応する種別アイコン８２ｂが配置されている。分割配置画面８２では、カーソル８２ａが配置されているサムネイル画像が選択画像となるように設定されている。したがって、図８（ａ）では、画像Ｂのアセットが選択されていることになる。種別アイコン８２ｂには、静止画（Ｓ）、音声付き画像（ＳＡ）、マルチショット画像（Ｍ）、パノラマ画像（Ｐ）及びその他のアセット（Ｏ）などの文字が表示されており、そのアセットの種別が容易に認識できるようになっている。これらのうち、マルチショット画像及びパノラマ画像のアセットは、複数の画像ファイルを含むコンポジット型アセットであり、静止画及び音声付き画像のアセットは単数の画像ファイルを含む個別アセットである。ここでは、アセットの種別に応じて種別アイコンの色を変えて表示するように設定されている。このため、アセットの種別を一層区別しやすい。
【００３４】
さて、ステップＳ４１０で分割配置画面８２を表示したあと、ＣＰＵ１２は、表示切替キー４４ｃが押下された否かを判定する（ステップＳ４２０）。表示切替キー４４ｃが押下されていないときには、ＣＰＵ１２は、増減キー４４ｅが押下されたか否かを判定する（ステップＳ４３０）。なお、現在カーソル８２ａのある画像の選択数がゼロであるときには、マイナスキー４４ｅが押下されても無視するように設定されている。増減キー４４ｅが押下されたときには、現在カーソル８２ａが配置されている画像を印刷する画像として選択されたとみなし、該選択されたアセットに含まれている画像数を取得する（ステップＳ４４０）。アセットに含まれている画像数の取得は、マニフェストに記述されたアセット情報から読み出すことにより行う。次に、ＣＰＵ１２は、読み出した画像数と増減キー４４ｅの操作に基づいて現在選択されているアセットの総選択数を求める（ステップＳ４５０）。ここで、１回目の総選択数を求めるに際して、増減キー４４ｅのプラスキーが１回押下されると現在選択されているアセットに含まれる画像すべてが１つ選択されたものとみなし、該選択されている画像数にプラスキー４４ｅの押下回数を掛け合わせることによって総選択数を求める。続いて、ＣＰＵ１２は、求めた総選択数を画像と共に表示する（ステップＳ４６０）。この総選択数は、現在選択されている画像の表示領域内に表示される（図７（ｂ）参照）。
【００３５】
ステップＳ４６０で総選択数を画像と共に表示したあと、または、ステップＳ４３０で増減キー４４ｅが押下されなかったときには、ＣＰＵ１２は、印刷要求があるか否かを判定する（ステップＳ４７０）。印刷要求があるか否かの判定は、ユーザによって決定キー４４ｂが押下されたか否かによって行う。印刷要求がないときには、ＣＰＵ１２は、ステップＳ４２０での表示切替キー４４ｃの押下とステップＳ４７０での印刷要求とのいずれかが行われるまでステップＳ４２０〜Ｓ４７０の処理を繰り返す。
【００３６】
ここで、ステップＳ４２０〜Ｓ４７０の処理について図７を用いて説明する。ここでは、画像Ｂは、画像が３つ含まれているコンポジット型アセットの代表画像（先頭の画像）である。画像Ｂが選択されているときに（図７（ａ））、ステップＳ４３０でプラスキー４４ｅが押下されたときには、ユーザの選択数が「１」であるため、アセットの画像数「３」にユーザの選択数「１」を乗じ、求めた総選択数（３×１＝３）を画像と共に表示部４２に表示する。このとき、総選択数としての「３」を画像Ｂの表示領域内に（画像Ｂに重ねて）表示する（図７（ｂ））。続いて、ステップＳ４３０で更にユーザによってプラスキー４４ｅが押下されると、画像数としての「３」にユーザの選択数としての「２」を乗じ、求めた総選択数（３×２＝６）を画像と共に表示部４２に表示する（図７（ｃ））。このあと、ユーザによってマイナスキー４４ｅが押下されると、ＣＰＵ１２は、画像数としての「３」にユーザの選択数としての「２−１＝１」を乗算し、求めた総選択数（３×１＝３）を画像と共に表示部４２に表示する（図７（ｂ））。このように、分割配置画面８２においてコンポジットアセットを選択して増減キー４４ｅを押下することにより、ユーザは、アセットに含まれる画像全部を１単位として１度に選択することができる。なお、個別アセットが選択されているときには、アセットに含まれる画像数を１として同様に処理する。
【００３７】
一方、ステップＳ４２０で表示切替キー４４ｃが押下されたときには、ＣＰＵ１２は、現在選択されているアセットの画像を拡大した拡大表示画面を表示部４２に表示する（ステップＳ４８０）。この拡大表示画面では、左右キー４４ａを押下することにより現在選択されている画像を切り替え可能である。なお、コンポジット型アセットが選択されているときに左右キー４４ａが押下されると、ＣＰＵ１２は、コンポジット型アセットに含まれる複数の画像を切り替えて表示部４２に表示する。ステップＳ４８０のあと、ＣＰＵ１２は、増減キー４４ｅが押下されたか否かを判定し（ステップＳ４９０）、増減キー４４ｅが押下されたときには押下された増減キー４４ｅに基づいて選択されている画像の選択数を１つ増減する。ここでは、選択されているのはアセットではなくアセットに含まれる画像であるため、例えばコンポジット型アセットの画像が選択されていても、ＣＰＵ１２は、画面に表示されている画像に対する選択数を増減させる。次にステップＳ５００のあと、または、ステップＳ４９０で増減キー４４ｅが押下されていないときには表示切替キー４４ｃが押下されたか否かを判定し（ステップＳ５１０）、表示切替キー４４ｃが押下されていないときには印刷要求があるか否かを判定し（ステップＳ５２０）、印刷要求がないときには、ステップＳ５１０で表示切替キー４４ｃが押下されるかステップＳ５２０で印刷要求があるまでステップＳ４９０〜Ｓ５２０の処理を繰り返す。
【００３８】
ステップＳ５１０で表示切替キー４４ｃが押下されたときには、ＣＰＵ１２は、ステップＳ４７０，Ｓ５１０で印刷要求があるまでステップＳ４１０〜Ｓ５２０の処理を繰り返し、ステップＳ４７０，Ｓ５１０で印刷要求があったときには、印刷指示画面８６を表示部４２に表示し（ステップＳ５３０）、このルーチンを終了する。ここで、ステップＳ４７０，Ｓ５１０で印刷要求があったときには、図８に示す印刷指示画面８６を表示部４２に表示する。図８は、分割配置画面８２から印刷指示画面８６への切り替えの説明図である。この印刷指示画面８６（図８（ｂ））は、印刷設定情報表示部８６ａとタイトルバー８６ｂと縮小画像表示部８６ｃと操作方法表示バー８６ｄとにより構成されている。コンポジット型アセットが選択されているときには、縮小画像表示部８６ｃには、代表画像（ここではアセットに含まれた先頭画像）が表示され、印刷設定情報表示部８６ａには、アセットに含まれる画像の総選択数が表示される。なお、ステップＳ４５０及びＳ５００で増減された選択数は、表示画面が切り替わっても記憶されており、戻りキー４４ｄが押下されるとリセットされるように設定されている。
【００３９】
そして、図４に示した選択表示印刷制御ルーチンに戻り、ステップＳ１３０で全画像表示処理を行ったあと、または、ステップＳ２２０で画像選択表示処理を実行したあと、ＣＰＵ１２は、選択された画像の印刷処理を実行する（ステップＳ２３０）。画像の印刷は、印刷指示画面８６で決定キー４４ｂが押下されると実行される。ここで、印刷処理について説明する。マルチファンクションプリンタ１０のコントローラ１１は、ユーザからの印刷指示及び印刷データを受信すると、プリンタＡＳＩＣ３２へ印刷指令を行う。印刷指令を受けると、プリンタＡＳＩＣ３２は、ＲＡＭ１４の印刷バッファ１４ａに記憶された印刷データをビットマップ展開し、図示しない駆動モータを駆動して搬送ローラ３８を回転させて記録紙Ｓを搬送し、圧力発生部３５への電圧を制御することによりビットマップに展開した画像データに基づいて記録紙Ｓに画像を印刷する。なお、印刷終了後は、再び選択表示印刷制御ルーチンのステップＳ１２０以降の処理を行う。
【００４０】
最後に、図７及び図８に示した表示部４２の説明図を用いてアセットを表示、選択及び印刷する一連の動作について説明する。まず、ユーザは、マルチファンクションプリンタ１０のスロット１７にメモリカード１８を挿入しＭＰＶモードを選択し、印刷したいアセットが含まれているアルバムを選択する。すると、ＣＰＵ１２は、アルバムに含まれているアセットの情報を読み出し、読み出したアセット情報に基づいて種別アイコン８２ｂと共にサムネイル画像を配置した分割配置画面８２（図７（ａ））を表示部４２に表示する。ユーザはコンポジット型アセットの代表画像である画像Ｂにカーソル８２ａを合わせることによりアセットを選択し、プラスキー４４ｅを押下する。すると、ＣＰＵ１２は、コンポジット型アセットに含まれる画像数「３」を読み出し、読み出した画像数にユーザの選択数「１」を乗じ、求めた総選択数（３×１＝３）を画像Ｂに重ねて表示部４２に表示する（図７（ｂ））。このように、プラスキー４４ｅの一回の押下で総選択数がゼロから３に増えるため、ユーザは、選択数を増加させたアセットがコンポジット型アセットであり且つ含まれている画像数が３つであることを認識する。続いてユーザによってプラスキー４４ｅが押下されると、ＣＰＵ１２は、アセットに含まれる画像数ごとに総選択数を増加させ、マイナスキー４４ｅが押下されるとアセットに含まれる画像数ごとに総選択数を減少させ、求めた総選択数を画像Ｂに重ねて表示部４２に表示する（図７（ｂ），（ｃ））。そして、決定キー４４ｂが押下されると、印刷指示画面８６（図９（ｂ））を表示部４２に表示し、ＣＰＵ１２は、印刷指示された画像ファイルの印刷を行う。
【００４１】
ここで、本実施例の構成要素と本発明の構成要素との対応関係を明らかにする。本実施例のコントローラ１１が本発明の情報取得手段及び表示制御手段に相当し、表示部４２が表示手段に相当し、操作部４４がアセット選択手段及び指示取得手段に相当し、印刷機構３１が印刷ユニットに相当する。また、アルバム情報６３，７３，７５が本発明の集団情報に相当し、ルートマニフェスト６１及びマニフェスト７１がアセット管理情報に相当する。なお、本実施例では、マルチファンクションプリンタ１０の動作を説明することにより本発明の表示処理方法の一例も明らかにしている。
【００４２】
以上詳述した本実施例のマルチファンクションプリンタ１０によれば、複数の画像ファイルを含むコンポジット型アセットが選択されているときには、増減キー４４ｅの押下による選択数の増減指示をユーザから取得するたびにコンポジット型アセットに含まれる画像数とユーザからの増減指示とに基づいてコンポジット型アセットに含まれる画像の総選択数を求め該求めた画像の総選択数を表示部４２に表示する。このように、コンポジット型アセットに含まれる画像数ごとに総選択数を増減して表示するため、簡単な操作でアセットに含まれる複数の画像の総選択数を変更して表示することができる。
【００４３】
また、コンポジット型アセットに含まれる画像ファイルは、例えば撮影された時期やイベントなどグループとして管理されることが多いため、本発明を適用する意義が高い。また、総選択数をコンポジット型アセットの代表画像の表示領域内に表示部４２に表示するため、表示されている総選択数がどのアセットのものなのかを確認しやすいし、アセットの画像を表示するスペース以外に総選択数を表示するスペースがいらないためスペースを有効利用できる。
【００４４】
更に、複数の画像ファイルを含むコンポジット型アセットを含む各種のアセットを並べた分割配置画面８２を表示部４２に表示させ、この分割配置画面８２でアセットに含まれる画像の総選択数を表示するため、どのアセットの画像がいくつ選択されているのかを確認しやすい。
【００４５】
更にまた、所定の関係を有する１以上のアセット情報をまとめるアルバム情報及び個別に存在するアセット情報のうち少なくとも１つを含み該含んだ情報によりアセットを取得可能に作成されたマニフェストを利用してアセットを取得するため、アセット管理情報を利用することにより、比較的容易にアセットを取得することができる。
【００４６】
そして、分割配置画面８２でアセットの種別をアセットに含まれる画像と共に表示するため、アセットの種別をユーザが容易に認識できる。また、アセットの種別をアセットに含まれる画像の表示領域内にアイコン表示させるため、画像以外の部分にアセットの種別を表示する場合に比べてスペースを有効利用することができるし、視覚的に認識しやすい。また、各種のアセットに画像が含まれていないアセットがあるときにはこの画像が含まれていないアセットの画像として予め定められた画像を表示させるため、画像が含まれていないアセットを確認しやすい。
【００４７】
そしてまた、操作部４４により表示部４２に表示される各種のアセットのうちいずれかを印刷するアセットとしてユーザが選択することができる。このため、簡単な操作でアセットに含まれる複数の画像の総選択数を変更して表示部４２に表示したあとに、選択したアセットの画像を印刷することができる。また、印刷装置は、印刷する画像を表示部に表示させてユーザに選択させることが多いため、本発明を適用する意義が高い。
【００４８】
なお、本発明は上述した実施例に何ら限定されることはなく、本発明の技術的範囲に属する限り種々の態様で実施し得ることはいうまでもない。
【００４９】
例えば、上述した実施例では、総選択数を配置した分割配置画面８２を表示部４２に表示するとしたが（図７（ｂ）参照）、図９に示すように、アセットに含まれている画像数とユーザの選択数とを含む画像数選択数表示部８２ｃを配置した分割配置画面８２Ｂを表示部４２に表示してもよい（図１０（ｂ），（ｃ））。こうすれば、コンポジット型アセットに含まれる画像数やユーザの選択数をも確認することができる。
【００５０】
また、上述した実施例では、画像の表示領域内に総選択数を表示する分割配置画面８２としたが、図１０に示すように、画像と総選択数とを別に表示する分割配置画面８２Ｃとしてもよい。こうしても、簡単な操作でアセットに含まれる複数の画像の総選択数を変更して表示することができる。
【００５１】
更に、上述した実施例では、コンポジット型アセットが選択されたあとに印刷指示画面８６を表示して印刷処理を行うとしたが、図１１に示すように、コンポジット型アセットが選択されたあとに印刷指示画面８６を表示しているときに増減キー４４ｅが押下されると、アセットに含まれている画像数の分、総選択数を増減してもよい（図１０（ｂ））。こうしても、簡単な操作でアセットに含まれる複数の画像の総選択数を変更して表示することができる。
【００５２】
更にまた、上述した実施例では、マニフェストを用いたＭＰＶ形式で保存された画像の処理に適用する場合ついて説明したが、特にこれに限定されず、例えばＤＣＦ（Ｄｅｓｉｇｎ  ｒｕｌｅ  ｆｏｒ  Ｃａｍｅｒａ  Ｆｉｌｅ  ｓｙｓｔｅｍ）方式に従って保存された画像の処理に適用してもよい。また、上述した実施例では、画像ファイルのうち静止画ファイルの画像について説明したが、動画ファイルとしてもよい。また、上述した実施例では、画像ファイルについて説明したが、他のファイル（例えば音楽ファイルなど）に適用してもよい。また、上述した実施例では、画像ファイルの画像を選択して印刷処理する場合について説明したが、例えばファイルを選択して複製処理する場合などに適用してもよい。
【００５３】
そして、上述した実施例では、インクジェット方式を採用したフルカラーのマルチファンクションプリンタ１０としたが、電子写真方式のカラーレーザプリンタや、熱転写式のカラープリンタや、ドットインパクト方式のプリンタとしてもよいし、これらのモノクロプリンタとしてもよい。また、ＦＡＸ機やコピー機などの印刷装置としてもよい。また、パソコン、スキャナ、デジカメ及びデジタルビデオなどの画像処理機器などに本発明を適用してもよい。
【図面の簡単な説明】
【００５４】
【図１】本実施例のマルチファンクションプリンタ１０のブロック図である。
【図２】本実施例の操作パネル４０の説明図である。
【図３】本実施例のマニフェストの説明図である。
【図４】本実施例の選択表示印刷制御ルーチンである。
【図５】本実施例のパス情報１４ｃの説明図である。
【図６】本実施例の画像選択表示ルーチンである。
【図７】本実施例の表示部４２に表示する分割配置画面８２の説明図である。
【図８】本実施例の表示部４２に表示する印刷指示画面８６の説明図である。
【図９】別の実施例の表示部４２に表示する分割配置画面８２Ｂの説明図である。
【図１０】別の実施例の表示部４２に表示する分割配置画面８２Ｃの説明図である。
【図１１】別の実施例の表示部４２に表示する印刷指示画面８６の説明図である。
【符号の説明】
【００５５】
１０  マルチファンクションプリンタ、１１  コントローラ、１２  ＣＰＵ、１３  ＲＯＭ、１３ａ  選択表示印刷制御プログラム、１４  ＲＡＭ、１４ａ  スキャナバッファ、１４ｂ  印刷バッファ、１４ｃ  パス情報、１５  バス、１６  リーダライタ、１７  スロット、１８  メモリカード、２０  スキャナ部、２１  スキャナ機構、２２  スキャナＡＳＩＣ、２３  ガラス面、２４  ラインイメージセンサ、２６  移動部、３０  プリンタ部、３１  プリンタ機構、３２  プリンタＡＳＩＣ、３４  インクカートリッジ、３５  圧力発生部、３６  吐出口、３８  搬送ローラ、４０  操作パネル、４２、表示部、４４  操作部、４４ａ  カーソルキー、４４ｂ  決定キー、４４ｃ  表示切替キー  ４４ｄ  戻りキー、５０  デジタルカメラ、６１  ルートマニフェスト、６２  リンク情報、６２ａ  リンクパス、６３  アルバム情報、６４，６５，６７，６８  ファイル情報、６４ａ，６５ａ，６７ａ，６８ａ  ファイルパス、６６  総括名称、７１  マニフェスト、７３  アルバム情報、７４  ファイル情報、７４ａ  ファイルパス、７５  アルバム情報、７６  ファイル情報、７６ａ  ファイルパス、７７  ファイル情報、７７ａ  ファイルパス、８２，８２Ｂ，８２Ｃ  分割配置画面、８２ａ  カーソル、８２ｂ  種別アイコン、８２ｃ  画像数選択数表示部、８６  印刷指示表示画面、８６ａ  印刷設定情報表示部、８６ｂ  タイトルバー、８６ｃ  縮小画像表示部、８６ｄ  操作方法表示バー、Ａ〜Ｇ  画像、Ｍ  媒体、Ｓ  記録紙。
【図１】
2006252476.tif 000003
【図２】
2006252476.tif 000004
【図３】
2006252476.tif 000005
【図４】
2006252476.tif 000006
【図５】
2006252476.tif 000007
【図６】
2006252476.tif 000008
【図７】
2006252476.tif 000009
【図８】
2006252476.tif 000010
【図９】
2006252476.tif 000011
【図１０】
2006252476.tif 000012
【図１１】
2006252476.tif 000013